(57)【要約】【課題】灌漑用液体の圧力が高圧の場合だけでなく低圧の場合であっても、灌漑用液体を定量的に吐出できるエミッタを提供すること。【解決手段】エミッタは、エミッタ本体、フィルムおよびカバーから構成される。エミッタは、取水部、吐出部、第１流路、第２流路、流量減少部、流路開閉部、減圧流路およびバイパス流路を有する。チューブを流れる灌漑用液体の圧力が第１圧力未満の場合、カバーの第１取水用貫通孔の開口部は、フィルムにより塞がれている。チューブを流れる灌漑用液体の圧力が第１圧力以上の場合、フィルムが変形することにより、灌漑用液体は、第１取水用貫通孔、フィルムとカバーとの間の隙間および第２取水用貫通孔を介してエミッタ本体内に取り入れられる。【選択図】図８
2018000052.tif 000002
【特許請求の範囲】
【請求項１】
エミッタ本体と、前記エミッタ本体の第１面側に配置された可撓性を有するフィルムと、前記フィルムを前記エミッタ本体に対して位置決めするためのカバーと、から構成され、灌漑用液体を流通させるチューブの内壁面であり、かつ前記チューブの内外を連通する吐出口に対応する位置に接合され、前記チューブ内の前記灌漑用液体を前記吐出口から定量的に前記チューブ外に吐出するためのエミッタであって、
前記カバーに形成された第１取水用貫通孔と、前記フィルムに形成された第２取水用貫通孔とを含み、前記灌漑用液体を取り入れるための取水部と、
前記第１面と表裏関係にあり、前記吐出口に面する前記エミッタ本体の第２面に配置され、前記灌漑用液体を吐出するための吐出部と、
前記取水部および前記吐出部を繋ぎ、前記灌漑用液体を流通させる第１流路と、
前記取水部および前記吐出部を繋ぎ、前記灌漑用液体を流通させる第２流路と、
前記第１面に開口した流量減少用凹部および前記流量減少用凹部の開口部を塞いだ前記フィルムを含み、前記第１流路に配置され、前記チューブ内の前記灌漑用液体の圧力に応じて、前記フィルムが変形することにより前記吐出口への前記灌漑用液体の流量を減少させる流量減少部と、
前記第１面に開口した流路開閉用凹部および前記流路開閉用凹部の開口部を塞いだ前記フィルムを含み、前記第２流路に配置され、前記チューブ内の前記灌漑用液体の圧力に応じて、前記フィルムが変形することにより前記第２流路を開放および閉塞する流路開閉部と、
前記流量減少部より上流の前記第１流路に配置され、前記取水部から取り入れられた前記灌漑用液体の圧力を減圧させて、前記流量減少部に導く減圧流路と、
前記流路開閉部より上流の前記第２流路に配置され、前記取水部から取り入れられた前記灌漑用液体の圧力を、前記減圧流路を流れた前記灌漑用液体の圧力より高い圧力を維持した状態で、前記流路開閉部に導くバイパス流路と、
を有し、
前記チューブを流れる前記灌漑用液体の圧力が第１圧力未満の場合、前記第１取水用貫通孔の開口部は、前記フィルムにより塞がれており、
前記チューブを流れる前記灌漑用液体の圧力が第１圧力以上の場合、前記フィルムが変形することにより、前記灌漑用液体は、前記第１取水用貫通孔と、前記フィルムと前記カバーとの間の隙間と、前記第２取水用貫通孔とを介して前記エミッタ本体内に取り入れられ、
前記チューブを流れる前記灌漑用液体の圧力が前記第１圧力以上、かつ前記第１圧力を超える第２圧力未満の場合、前記取水部から取り入れられた前記灌漑用液体は、前記減圧流路および前記バイパス流路を通って、前記吐出部に導かれ、
前記チューブを流れる前記灌漑用液体の圧力が前記第２圧力以上である場合、前記流路開閉部により前記第２流路が閉塞され、前記取水部から取り入れられた前記灌漑用液体は、前記減圧流路を通って前記吐出部に導かれる、
エミッタ。
【請求項２】
前記カバー側から前記エミッタを見たときに、前記第１取水用貫通孔および前記第２取水用貫通孔は、離間するように配置されている、請求項１に記載のエミッタ。
【請求項３】
前記カバー側から前記エミッタを見たときに、前記第１取水用貫通孔および前記第２取水用貫通孔の間隔は、１．０〜５．０ｍｍの範囲内である、請求項１または請求項２に記載のエミッタ。
【請求項４】
灌漑用液体を吐出するための吐出口を有するチューブと、
前記チューブの内壁面の前記吐出口に対応する位置に接合された、請求項１〜３のいずれか一項に記載のエミッタと、
を有する、点滴灌漑用チューブ。
【発明の詳細な説明】
【技術分野】
【０００１】
本発明は、エミッタおよび当該エミッタを有する点滴灌漑用チューブに関する。
【背景技術】
【０００２】
以前から、植物の栽培方法の一つとして点滴灌漑法が知られている。点滴灌漑法とは、植物が植えられている土壌上に点滴灌漑用チューブを配置し、ポンプなどの送液機構により、点滴灌漑用チューブ内に水や液体肥料などの灌漑用液体を送液し、当該灌漑用液体を点滴灌漑用チューブから土壌へ滴下する方法である。近年、点滴灌漑法は、灌漑用液体の消費量を最小限にすることが可能であるため、特に注目されている。
【０００３】
点滴灌漑用チューブは、通常、灌漑用液体が吐出される複数の貫通孔が形成されたチューブと、各貫通孔から灌漑用液体を吐出するための複数のエミッタ（「ドリッパ」ともいう）とを有する。また、エミッタの種類としては、チューブの内壁面に接合して使用されるエミッタ（例えば、特許文献１参照）と、チューブに外側から突き刺して使用されるエミッタとが知られている。
【０００４】
特許文献１には、チューブの内壁面に接合されるエミッタが記載されている。特許文献１に記載のエミッタは、チューブの内壁面側の側面に形成された複数の取水口と、チューブの内壁面側の面に形成され、取水口に接続された減圧溝と、チューブの内壁面側の面に配置され、減圧流路の下流端に接続された排出部と、を有する。減圧溝および排出部が形成された面をチューブの内壁面に接合することで、減圧溝の開口部がチューブの内側面により塞がれることにより、減圧流路となる。また、排出部の開口部がチューブの排出口を覆うことにより、エミッタ内の流路が外部と接続される。
【先行技術文献】
【特許文献】
【０００５】
【特許文献１】米国特許第８１４１５８９号明細書
【発明の概要】
【発明が解決しようとする課題】
【０００６】
しかしながら、特許文献１に記載のエミッタを使用した点滴灌漑用チューブでは、灌漑用液体の送液を停止した場合、一時的に灌漑用液体が逆流することにより、チューブ外の異物がエミッタ内に吸い込まれてしまうという問題があった。また、灌漑用液体の圧力が極めて低い場合には、灌漑用液体の流量がエミッタによって制御されずに液垂れしてしまうという問題があった。
【０００７】
そこで、本発明の目的は、送液停止時においてチューブ外から異物を吸い込まず、かつ灌漑用液体の圧力が極めて低い場合であっても液垂れが生じない灌漑用液体の圧力が高圧の場合だけでなく、低圧の場合であっても灌漑用液体を定量的に吐出できるエミッタおよび点滴灌漑用チューブを提供することである。
【課題を解決するための手段】
【０００８】
上記の課題を解決するため、本発明に係るエミッタは、エミッタ本体と、前記エミッタ本体の第１面側に配置された可撓性を有するフィルムと、前記フィルムを前記エミッタ本体に対して位置決めするためのカバーと、から構成され、灌漑用液体を流通させるチューブの内壁面であり、かつ前記チューブの内外を連通する吐出口に対応する位置に接合され、前記チューブ内の前記灌漑用液体を前記吐出口から定量的に前記チューブ外に吐出するためのエミッタであって、前記カバーに形成された第１取水用貫通孔と、前記フィルムに形成された第２取水用貫通孔とを含み、前記灌漑用液体を取り入れるための取水部と、前記第１面と表裏関係にあり、前記吐出口に面する前記エミッタ本体の第２面に配置され、前記灌漑用液体を吐出するための吐出部と、前記取水部および前記吐出部を繋ぎ、前記灌漑用液体を流通させる第１流路と、前記取水部および前記吐出部を繋ぎ、前記灌漑用液体を流通させる第２流路と、前記第１面に開口した流量減少用凹部および前記流量減少用凹部の開口部を塞いだ前記フィルムを含み、前記第１流路に配置され、前記チューブ内の前記灌漑用液体の圧力に応じて、前記フィルムが変形することにより前記吐出口への前記灌漑用液体の流量を減少させる流量減少部と、前記第１面に開口した流路開閉用凹部および前記流路開閉用凹部の開口部を塞いだ前記フィルムを含み、前記第２流路に配置され、前記チューブ内の前記灌漑用液体の圧力に応じて、前記フィルムが変形することにより前記第２流路を開放および閉塞する流路開閉部と、前記流量減少部より上流の前記第１流路に配置され、前記取水部から取り入れられた前記灌漑用液体の圧力を減圧させて、前記流量減少部に導く減圧流路と、前記流路開閉部より上流の前記第２流路に配置され、前記取水部から取り入れられた前記灌漑用液体の圧力を、前記減圧流路を流れた前記灌漑用液体の圧力より高い圧力を維持した状態で、前記流路開閉部に導くバイパス流路と、を有し、前記チューブを流れる前記灌漑用液体の圧力が第１圧力以下の場合、前記第１取水用貫通孔の開口部は、前記フィルムにより塞がれており、前記チューブを流れる前記灌漑用液体の圧力が第１圧力以上の場合、前記フィルムが変形することにより、前記灌漑用液体は、前記前記第１貫通孔と、前記フィルムと前記カバーとの間の隙間と、前記第２取水用貫通孔とを介して前記エミッタ本体内に取り入れられ、前記チューブを流れる前記灌漑用液体の圧力が前記第１圧力以上、かつ前記第１圧力を超える第２圧力未満の場合、前記取水部から取り入れられた前記灌漑用液体は、前記減圧流路および前記バイパス流路を通って、前記吐出部に導かれ、前記チューブを流れる前記灌漑用液体の圧力が前記第２圧力以上である場合、前記流路開閉部により前記第２流路が閉塞され、前記取水部から取り入れられた前記灌漑用液体は、前記減圧流路を通って前記吐出部に導かれる。
【０００９】
また、上記の課題を解決するため、本発明に係る点滴灌漑用チューブは、灌漑用液体を吐出するための吐出口を有するチューブと、前記チューブの内壁面の前記吐出口に対応する位置に接合された、本発明に係るエミッタとを有する。
【発明の効果】
【００１０】
本発明に係るエミッタおよび点滴灌漑用チューブは、チューブ内の灌漑用液体の圧力が高圧の場合だけでなく、チューブ内の灌漑用液体の圧力が低圧の場合であっても灌漑用液体を定量的に吐出できる。また、本発明に係るエミッタおよび点滴灌漑用チューブは、定量灌水を長距離に亘り行うこともできる。送液機構の停止時において、灌漑用液体の逆流を防止できる。また、本発明に係るエミッタおよび点滴灌漑用チューブは、灌漑用液体の圧力が極めて低い場合であっても液垂れが生じにくい。
【図面の簡単な説明】
【００１１】
【図１】図１は、点滴灌漑用チューブの断面図である。
【図２】図２Ａ、Ｂは、エミッタの斜視図である。
【図３】図３Ａ〜Ｄは、エミッタの構成を示す図である。
【図４】図４Ａ〜Ｃは、エミッタの断面図である。
【図５】図５Ａ〜Ｄは、エミッタ本体の構成を示す図である。
【図６】図６Ａ〜Ｃは、フィルムの構成を示す図である。
【図７】図７Ａ〜Ｄは、カバーの構成を示す図である。
【図８】図８Ａ〜Ｄは、エミッタの動作を説明するための断面図である。
【図９】図９は、点滴灌漑用チューブを用いた場合の、チューブ内の灌漑用液体の圧力と、吐出口から滴下される灌漑用液体の流量との関係の一例を示すグラフである。
【発明を実施するための形態】
【００１２】
以下、本発明に係る実施の形態について、図面を参照して詳細に説明する。
【００１３】
（点滴灌漑用チューブおよびエミッタの構成）
図１は、本発明の一実施の形態に係る点滴灌漑用チューブ１００の軸に沿う方向における断面図である。
【００１４】
図１に示されるように、点滴灌漑用チューブ１００は、チューブ１１０と、エミッタ１２０とを有する。
【００１５】
チューブ１１０は、灌漑用液体を流すための管である。チューブ１１０の材料は、特に限定されない。本実施の形態では、チューブ１１０の材料は、ポリエチレンである。チューブ１１０の管壁には、チューブ１１０の軸方向において、所定の間隔（例えば、２００〜５００ｍｍ）で灌漑用液体を吐出するための複数の吐出口１１１が形成されている。吐出口１１１の開口部の直径は、灌漑用液体を吐出することができれば特に限定されない。本実施の形態では、吐出口１１１の開口部の直径は、１．５ｍｍである。チューブ１１０の内壁面の吐出口１１１に対応する位置には、エミッタ１２０がそれぞれ接合される。チューブ１１０の軸方向に垂直な断面形状および断面積は、チューブ１１０の内部にエミッタ１２０を配置することができれば特に限定されない。
【００１６】
点滴灌漑用チューブ１００は、エミッタ１２０の裏面をチューブ１１０の内壁面に接合することによって作製される。チューブ１１０と、エミッタ１２０とを接合する方法は、特に限定されない。チューブ１１０と、エミッタ１２０とを接合する方法の例には、エミッタ１２０またはチューブ１１０を構成する樹脂材料の溶着や、接着剤による接着などが含まれる。通常、吐出口１１１は、チューブ１１０と、エミッタ１２０とを接合した後に形成される。なお、吐出口１１１は、チューブ１１０と、エミッタ１２０とを接合する前に形成されてもよい。
【００１７】
エミッタ１２０は、吐出口１１１を覆うようにチューブ１１０の内壁面に接合されている。エミッタ１２０の形状は、チューブ１１０の内壁面に密着して、吐出口１１１を覆うことができれば特に限定されない。本実施の形態では、チューブ１１０の軸方向に垂直なエミッタ１２０の断面における、チューブ１１０の内壁面に接合する裏面の形状は、チューブ１１０の内壁面に沿うように、チューブ１１０の内壁面に向かって凸の略円弧形状である。また、エミッタ１２０の平面形状は、四隅がＲ面取りされた略矩形である。エミッタ１２０の大きさは、特に限定されない。本実施の形態では、エミッタ１２０の長辺方向の長さは２５ｍｍであり、短辺方向の長さは８ｍｍであり、高さは２．５ｍｍである。
【００１８】
図２〜図４は、エミッタ１２０の構成を示す図である。図２Ａは、エミッタ１２０を表面（第１面）側から見た斜視図であり、図２Ｂは、エミッタ１２０を裏面（第２面）側から見た斜視図である。図３Ａは、エミッタ１２０の平面図であり、図３Ｂは、底面図であり、図３Ｃは、正面図であり、図３Ｄは、右側面図である。図４Ａは、図３Ａに示されるＡ−Ａ線の断面図であり、図４Ｂは、図３Ａに示されるＢ−Ｂ線の断面図であり、図４Ｃは、図３Ａに示されるＣ−Ｃ線の断面図である。図５は、エミッタ本体１２１の構成を示す図である。図５Ａは、エミッタ本体１２１の平面図であり、図５Ｂは、底面図であり、図５Ｃは、正面図であり、図５Ｄは、右側面図である。図６は、フィルム１２２の構成を示す図である。図６Ａは、フィルム１２２の平面図であり、図６Ｂは、正面図であり、図６Ｃは、右側面図である。図７は、カバー１２３の構成を示す図である。図７Ａは、カバー１２３の平面図であり、図７Ｂは、底面図であり、図７Ｃは、正面図であり、図７Ｄは、右側面図である。
【００１９】
図２〜図４に示されるように、エミッタ１２０は、エミッタ本体１２１と、フィルム１２２と、カバー１２３とから構成されている。すなわち、本実施の形態に係るエミッタ１２０は、３体構造である。また、エミッタ１２０は、取水部１３１と、減圧流路１４１と、流量減少部１６１と、流路開閉部１７１と、バイパス流路１５１と、吐出部１８１とを有する。
【００２０】
エミッタ本体１２１には、エミッタ１２０の主要な部分が形成されている。図４Ａ〜Ｃおよび図５Ａ〜Ｄに示されるように、本実施の形態では、エミッタ本体１２１には、減圧流路１４１を構成する減圧溝１４２と、流量減少部１６１を構成する流量減少用凹部１６２と、バイパス流路１５１を構成するバイパス溝１５２と、流路開閉部１７１を構成する流路開閉用凹部１７２と、吐出部１８１とが形成されている。減圧溝１４２と、流量減少用凹部１６２と、構成するバイパス溝１５２と、流路開閉用凹部１７２とは、第１面に開口している。また、吐出部１８１は、第２面に配置されている。
【００２１】
フィルム１２２は、チューブ１１０内の灌漑用液体の圧力に応じて変形し、吐出部１８１に送られる灌漑用液体の液量を調整する。フィルム１２２は、エミッタ本体１２１の表面（第１面）側に配置されている。フィルム１２２の平面視形状は、前述の機能を発揮できれば特に限定されない。図６Ａ〜Ｃに示されるように、本実施の形態では、フィルム１２２の平面視形状は、エミッタ本体１２１の第１面の外形と同じである。また、図４Ａ〜Ｃおよび図６Ａ〜Ｃに示されるように、本実施の形態では、フィルム１２２は、取水部１３１を構成する第１ダイヤフラム部１３７と、流量減少部１６１を構成する第２ダイヤフラム部１６６と、流路開閉部１７１を構成する第３ダイヤフラム部１７６とを有し、かつ取水部１３１を構成する第２取水用貫通孔１３４が第１ダイヤフラム部１３７に形成されている。フィルム１２２の厚さは、例えば０．３ｍｍである。
【００２２】
カバー１２３は、フィルム１２２をエミッタ本体１２１の第１面に対して位置決めする。カバー１２３の形状は、前述の機能を発揮できれば特に限定されない。図７Ａ〜Ｄに示されるように、本実施の形態では、カバー１２３は、１面を開放した箱状に形成されている。また、カバー１２３は、その内部にフィルム１２２を第１面に配置したエミッタ本体１２１を嵌め込むように形成されている。また、本実施の形態では、カバー１２３には、取水部１３１を構成する取水用スクリーン部１３２と、流量減少部１６１を構成する第１スクリーン部１６７と、流路開閉部１７１を構成する第２スクリーン部１７７とが形成されている。
【００２３】
フィルム１２２をエミッタ本体１２１の第１面側に配置し、フィルム１２２がカバー１２３の底面に接触するように、エミッタ本体１２１をカバー１２３に嵌め込むことで、エミッタ１２０が作製される。
【００２４】
エミッタ本体１２１およびカバー１２３の材料は、カバー１２３にエミッタ本体１２１を嵌め込むことができる程度の弾性を有していれば、特に限定されない。エミッタ本体１２１およびカバー１２３の材料の例には、ポリエチレンやシリコーンなどの樹脂と、ゴムとが含まれる。本実施の形態では、エミッタ本体１２１およびカバー１２３の材料は、製造コストおよび要求される弾性を満たす観点から、ポリエチレンである。また、フィルム１２２の材料は、チューブ１１０内の灌漑用液体の圧力に応じて適度に変形することができれば特に限定されない。フィルム１２２の材料の例には、ポリエチレンやシリコーンなどの樹脂と、ゴムとが含まれる。本実施の形態では、フィルム１２２の材料は、要求される弾性を満たす観点から、シリコーンである。なお、本実施の形態では、エミッタ本体１２１およびカバー１２３と、フィルム１２２とは、異なる材料で成形されているが、同じ材料でそれぞれ成形されていてもよい。エミッタ本体１２１、フィルム１２２およびカバー１２３の可撓性は、弾性を有する樹脂材料の使用によって調整することができる。エミッタ本体１２１、フィルム１２２およびカバー１２３の可撓性の調整方法の例には、弾性を有する樹脂の選択や、硬質の樹脂材料に対する弾性を有する樹脂材料の混合比の調整などが含まれる。エミッタ本体１２１、フィルム１２２およびカバー１２３は、例えば、射出成形によってそれぞれ製造できる。また、フィルム１２２は、市販されているフィルムを切り出して作製してもよい。
【００２５】
エミッタ本体１２１の第１面にフィルム１２２を配置することにより、減圧溝１４２およびバイパス溝１５２は、それぞれ減圧流路１４１およびバイパス流路１５１となる。また、流量減少用凹部１６２および流路開閉用凹部１７２は、それぞれ流量減少部１６１および流路開閉部１７１となる。また、フィルム１２２が配置されたエミッタ本体１２１にカバー１２３が取り付けられることにより、取水用スクリーン部１３２、第１取水用貫通孔１３３および第２取水用貫通孔１３４は、取水部１３１となる。これにより、取水部１３１、減圧流路１４１、流量減少部１６１および吐出部１８１から構成され、取水部１３１と吐出部１８１とを繋ぐ第１流路１５３が形成される。また、取水部１３１、バイパス流路１５１、流路開閉部１７１および吐出部１８１から構成され、取水部１３１と吐出部１８１とを繋ぐ第２流路１５４が形成される。第１流路１５３および第２流路１５４は、いずれも取水部１３１から吐出部１８１まで灌漑用液体を流通させる。
【００２６】
取水部１３１は、エミッタ１２０の表面側に配置されている（図４Ａ参照）。取水部１３１は、チューブ１１０内の灌漑用液体をエミッタ内に取り入れる。また、取水部は、灌漑用液体の圧力が極めて低圧の場合であっても、液垂れを防止するとともに、灌漑用液体の送液を停止したときに灌漑用液体が逆流することを防止する。取水部１３１は、取水用スクリーン部１３２、第１取水用貫通孔１３３（図７Ａ参照）、第１ダイヤフラム部１３７および第２取水用貫通孔１３４（図６Ａ参照）を有する。
【００２７】
取水用スクリーン部１３２は、エミッタ１２０に取り入れられる灌漑用液体中の浮遊物がエミッタ本体１２１内に侵入することを防止する。取水用スクリーン部１３２は、カバー１２３の表面側全体に形成されている。取水用スクリーン部１３２は、チューブ１１０内に対して開口しており、カバー凹部１３５および複数の凸条１３６を有する。
【００２８】
カバー凹部１３５は、カバー１２３の上面の全体に形成されている１つの凹部である。カバー凹部１３５の深さは特に限定されず、エミッタ１２０の大きさによって適宜設定される。カバー凹部１３５の底面上には複数の凸条１３６が配置されている。また、カバー凹部１３５の底面には、第１取水用貫通孔１３３、流量減少用貫通孔１６８および流路開閉用貫通孔１７８がそれぞれ開口している（図７Ａおよび図７Ｂ参照）。
【００２９】
複数の凸条１３６は、カバー凹部１３５の底面上に配置されている。凸条１３６の配置および数は、カバー凹部１３５の開口部側から灌漑用液体を取り入れつつ、灌漑用液体中の浮遊物の侵入を防止することができれば特に限定されない。本実施の形態では、凸条１３６は、エミッタ１２０の長軸方向に沿って配置されている。凸条１３６は、カバー凹部１３５の底面からカバー１２３の表面に向かうにつれて幅が小さくなるように形成されていてもよいし、カバー凹部１３５の底面からカバー１２３の表面まで同じ幅に形成されていてもよい。
【００３０】
第１取水用貫通孔１３３は、カバー凹部１３５の底面に開口している。第１取水用貫通孔１３３の形状および数は、カバー凹部１３５の内部に取り込まれた灌漑用液体を、第２取水用貫通孔１３４を介してエミッタ本体１２１内に導くことができれば特に限定されない。本実施の形態では、第１取水用貫通孔１３３は、カバー凹部１３５の底面の長軸方向に沿って形成された３つの矩形の穴である（図７Ｂ参照）。なお、チューブ１１０を流れる灌漑用液体の圧力が第１圧力未満の状態では、第１取水用貫通孔１３３のカバー凹部１３５側の開口部は、フィルム１２２に塞がれている。
【００３１】
第１ダイヤフラム部１３７は、フィルム１２２の一部である。第１ダイヤフラム部１３７は、第１取水用貫通孔１３３を塞ぐように配置されている。チューブ１１０内の灌漑用液体が第１取水用貫通孔１３３を介して第１ダイヤフラム部１３７に接しているため、第１ダイヤフラム部１３７は、チューブ１１０内の灌漑用液体の圧力に応じて、バイパス溝１５２の内部に向かって変形する。第１ダイヤフラム部１３７がバイパス溝１５２の内部に向かって変形することで、チューブ１１０の内部とバイパス流路１５１とが連通する。
【００３２】
第２取水用貫通孔１３４は、フィルム１２２の第１ダイヤフラム部１３７に形成されている。第２取水用貫通孔１３４の形状および数は、第１取水用貫通孔１３３から取り込まれた灌漑用液体を減圧流路１４１およびバイパス流路１５１に導くことができれば特に限定されない。本実施の形態では、第２取水用貫通孔１３４の形状は、２つの円形である（図６Ａ参照）。
【００３３】
カバー１２３側からエミッタ１２０を見たときに、第１取水用貫通孔１３３および第２取水用貫通孔１３４は、離間するように配置されている。すなわち、第１取水用貫通孔１３３は、カバー１２３において第２取水用貫通孔１３４と対向する領域以外の領域に形成されている。同様に、第２取水用貫通孔１３４は、フィルム１２２において第１取水用貫通孔１３３と対向する領域以外の領域に形成されている。カバー１２３側からエミッタ１２０を見たときの第１取水用貫通孔１３３および第２取水用貫通孔１３４の間隔は、特に限定されないが、１．０〜５．０ｍｍの範囲内であることが好ましい。カバー１２３側からエミッタ１２０を見たときの第１取水用貫通孔１３３および第２取水用貫通孔１３４の間隔が１．０ｍｍ未満の場合、チューブ１１０を流れる灌漑用液体の圧力が非常に低圧であっても、フィルム１２２（第１ダイヤフラム部１３７）が第１取水用貫通孔１３３を適切に塞ぐことができないおそれがある。一方、カバー１２３側からエミッタ１２０を見たときの第１取水用貫通孔１３３および第２取水用貫通孔１３４の間隔が５．０ｍｍ超の場合、チューブ１１０を流れる灌漑用液体の圧力がある程度高圧であっても、フィルム１２２とカバー１２３との間の隙間が適切に生じないおそれがある。
【００３４】
チューブ１１０内を流れてきた灌漑用液体は、取水用スクリーン部１３２によって浮遊物がカバー凹部１３５内に侵入することが防止されつつ、第１取水用貫通孔１３３および第２取水用貫通孔１３４を介してエミッタ本体１２１内に取り込まれる。このとき、チューブ１１０を流れる灌漑用液体の圧力が第１圧力以上の場合、フィルム１２２が変形することによりフィルム１２２とカバー１２３との間の隙間が生じ、灌漑用液体は、第１取水用貫通孔１３３、フィルム１２２とカバー１２３との間の隙間および第２取水用貫通孔１３４を介してエミッタ本体１２１内に取り入れられる。
【００３５】
減圧流路１４１（減圧溝１４２）は、流量減少部１６１より上流の第１流路１５３に配置されており、取水部１３１と、流量減少部１６１とを接続する。減圧流路１４１（減圧溝１４２）は、取水部１３１から取り入れられた灌漑用液体の圧力を減圧させて、流量減少部１６１に導く。減圧流路１４１は、エミッタ１２０の中央部分に配置されている。減圧流路１４１は、減圧溝１４２と、減圧溝１４２の開口部を塞ぐフィルム１２２とから構成されている。減圧溝１４２は、エミッタ本体１２１の表面（第１面）に形成されている。減圧溝１４２の形状は、減圧流路１４１となった場合に、前述の機能を発揮することができれば特に限定されない。本実施の形態では、減圧溝１４２の平面視形状は、ジグザグ形状である。減圧溝１４２は、内側面から突出する略三角柱形状の凸部１４３が灌漑用液体の流れる方向に沿って交互に配置されている。凸部１４３は、平面視したときに、先端が減圧溝１４２の中心軸を超えないように配置されている。フィルム１２２がエミッタ本体１２１の第１面に配置されることにより、減圧溝１４２と、フィルム１２２の裏面の一部とにより、減圧流路１４１が形成される。取水部１３１から取り込まれた灌漑用液体のうち、少なくとも一部の灌漑用液体は、減圧流路１４１により減圧されて流量減少部１６１に導かれる。詳細は後述するが、減圧流路１４１は、主として灌漑用液体の圧力が高圧の場合に機能する。
【００３６】
バイパス流路１５１（バイパス溝１５２）は、流路開閉部１７１より上流の第２流路１５４に配置されており、取水部１３１および流路開閉部１７１を接続する。バイパス流路１５１（バイパス溝１５２）は、取水部１３１から取り入れられた灌漑用液体の圧力を、減圧流路１４１（減圧溝１４２）を流れた灌漑用液体の圧力より高い圧力を維持した状態で、流路開閉部１７１に導く。フィルム１２２がエミッタ本体１２１の第１面に配置されることにより、バイパス溝１５２と、フィルム１２２の裏面の一部とにより、バイパス流路１５１が形成される。取水部１３１から取り込まれた灌漑用液体のうち、一部の灌漑用液体は、バイパス流路１５１を通過して流路開閉部１７１に導かれる。詳細は後述するが、バイパス流路１５１は、灌漑用液体の圧力が低圧の場合にのみ機能する。
【００３７】
なお、バイパス溝１５２には、減圧流路が配置されていてもよい。減圧流路は、流量制御をするために配置される。
【００３８】
流量減少部１６１は、第１流路１５３内において減圧流路１４１と吐出部１８１との間に配置されている。流量減少部１６１は、チューブ１１０内の灌漑用液体の圧力に応じて灌漑用液体の流量を減少させつつ、灌漑用液体を吐出部１８１に送る。流量減少部１６１の構成は、前述の機能を発揮することができれば特に限定されない。本実施の形態では、流量減少部１６１は、流量減少用凹部１６２と、第１弁座部１６３と、連通溝１６４と、吐出部１８１に連通した第１吐出用貫通孔１６５と、フィルム１２２の一部である第２ダイヤフラム部１６６と、第１スクリーン部１６７と、を有する。
【００３９】
流量減少用凹部１６２の平面視形状は、特に限定されない。流量減少用凹部１６２の平面視形状は、四隅がＲ面取りされた略矩形であってもよいし、略円形であってもよい。本実施の形態では、流量減少用凹部１６２の平面視形状は、四隅がＲ面取りされた略矩形である。流量減少用凹部１６２の底面には、吐出部１８１に連通した第１吐出用貫通孔１６５が開口しており、第１弁座部１６３が配置されている。また、流量減少用凹部１６２の側面には、減圧流路１４１（減圧溝１４２）が接続されている。流量減少用凹部１６２の深さは、特に限定されず、連通溝１６４および減圧溝１４２の深さ以上であればよい。
【００４０】
第１吐出用貫通孔１６５は、流量減少用凹部１６２の底面の中央部分に開口しており、吐出部１８１に連通している。第１弁座部１６３は、第１吐出用貫通孔１６５を取り囲むように流量減少用凹部１６２の底面に配置されている。第１弁座部１６３は、チューブ１１０を流れる灌漑用液体の圧力が第２圧力以上の場合に、第２ダイヤフラム部１６６が密着可能に形成されている。第１弁座部１６３に第２ダイヤフラム部１６６が接触することによって、流量減少用凹部１６２から吐出部１８１に流れ込む灌漑用液体の流量を減少させる。第１弁座部１６３の形状は、前述の機能を発揮することができれば特に限定されない。本実施の形態では、第１弁座部１６３の形状は、円環状の凸部である。第１弁座部１６３の第２ダイヤフラム部１６６が密着可能な領域の一部には、流量減少用凹部１６２の内部と第１吐出用貫通孔１６５を連通する連通溝１６４が形成されている。
【００４１】
第２ダイヤフラム部１６６は、フィルム１２２の一部である。第２ダイヤフラム部１６６は、流量減少用凹部１６２の内部とチューブ１１０の内部とを仕切るように配置されている。第２ダイヤフラム部１６６は、チューブ１１０内の灌漑用液体の圧力に応じて、第１弁座部１６３に接触するように変形する。具体的には、第２ダイヤフラム部１６６は、灌漑用液体の圧力が高くなるにつれて、第１弁座部１６３に向かって変形し、やがて第１弁座部１６３に接触する。第２ダイヤフラム部１６６が第１弁座部１６３に密着している場合であっても、第２ダイヤフラム部１６６は、減圧流路１４１の端部、第１吐出用貫通孔１６５および連通溝１６４を閉塞しないため、減圧流路１４１から送られてきた灌漑用液体は、連通溝１６４および第１吐出用貫通孔１６５を通って、吐出部１８１に送られうる。
【００４２】
第１スクリーン部１６７は、灌漑用液体の圧力をほとんど変化させることなく、灌漑用液体を第２ダイヤフラム部１６６の表面に送る。第１スクリーン部１６７は、カバー凹部１３５の一部と、一部の凸条１３６と、流量減少用貫通孔１６８とを有する。流量減少用貫通孔１６８は、カバー１２３の底部であって、第２ダイヤフラム部１６６に対応した位置に形成されている。流量減少用貫通孔１６８の形状および数は、前述の機能を発揮できれば特に限定されない。流量減少用貫通孔１６８の平面視形状は、円形であってもよいし、矩形であってもよい。本実施の形態では、流量減少用貫通孔１６８の平面視形状は、矩形である。また、流量減少用貫通孔１６８の数は、単数であってもよいし、複数であってもよい。本実施の形態では、流量減少用貫通孔１６８の数は、カバー凹部１３５の底面の短軸方向に沿って形成された５つの長孔である。それぞれの長孔は、複数の凸条１３６により覆われているため、表側から見た場合、１つの流量減少用貫通孔１６８は、多数の貫通孔に分かれているように見える
【００４３】
流路開閉部１７１は、第２流路１５４内において、バイパス流路１５１と吐出部１８１との間に配置されている。流路開閉部１７１は、チューブ１１０内の圧力に応じて第２流路１５４を開放して、灌漑用液体を吐出部１８１に送る。流路開閉部１７１の構成は、前述の機能を発揮することができれば特に限定されない。本実施の形態では、流路開閉部１７１は、流路開閉用凹部１７２と、第２弁座部１７３と、吐出部１８１に連通した第２吐出用貫通孔１７５と、フィルム１２２の一部である第３ダイヤフラム部１７６と、第２スクリーン部１７７と、を有する。
【００４４】
流路開閉用凹部１７２の平面視形状は、特に限定されない。流路開閉用凹部１７２の平面視形状は、四隅がＲ面取りされた略矩形であってもよいし、略円形であってもよい。本実施の形態では、流路開閉用凹部１７２の平面視形状は、四隅がＲ面取りされた略矩形である。流路開閉用凹部１７２の底面には、吐出部１８１に連通した第２吐出用貫通孔１７５と、第２弁座部１７３とが配置されている。また、流路開閉用凹部１７２の側面には、バイパス流路１５１（バイパス溝１５２）が接続されている。第２弁座部１７３は、第１弁座部１６３より第１面側に位置するように形成されている。これにより、フィルム１２２が灌漑用液体の圧力により変形した場合に、フィルム１２２は、第１弁座部１６３より先に第２弁座部１７３に接触する。
【００４５】
第２吐出用貫通孔１７５は、流路開閉用凹部１７２の底面の中央部分に開口しており、吐出部１８１に連通している。第２弁座部１７３は、第２吐出用貫通孔１７５を取り囲むように流路開閉用凹部１７２の底面に配置されている。また、第２弁座部１７３は、第３ダイヤフラム部１７６に面して非接触に配置され、チューブ１１０を流れる灌漑用液体の圧力が第２圧力以上の場合、第３ダイヤフラム部１７６が密着できるように形成されている。チューブ１１０を流れる灌漑用液体の圧力が第２圧力以上の場合、第３ダイヤフラム部１７６は、第２弁座部１７３に密着して第２吐出用貫通孔１７５を閉塞し、その結果として第２流路１５４を閉塞する。第２弁座部１７３の形状は、前述の機能を発揮することができれば特に限定されない。本実施の形態では、第２弁座部１７３は、円環状の凸部である。
【００４６】
第３ダイヤフラム部１７６は、フィルム１２２の一部である。第３ダイヤフラム部１７６は、流路開閉用凹部１７２の内部とチューブ１１０の内部とを仕切るように配置されている。第３ダイヤフラム部１７６は、チューブ１１０内の灌漑用液体の圧力に応じて、第２弁座部１７３に接触するように変形する。具体的には、第３ダイヤフラム部１７６は、灌漑用液体の圧力が高くなるにつれて、第２弁座部１７３に向かって変形し、灌漑用液体の圧力が第２圧力に到達すると、第２弁座部１７３に接触する。これにより、第２流路１５４（第２吐出用貫通孔１７５）は閉塞される。
【００４７】
第２スクリーン部１７７は、灌漑用液体の圧力をほとんど変化させることなく、灌漑用液体を第３ダイヤフラム部１７６の表面に送る。第２スクリーン部１７７は、カバー凹部１３５の一部と、一部の凸条１３６と、流路開閉用貫通孔１７８とを有する。流路開閉用貫通孔１７８は、カバー１２３の底部であって、第３ダイヤフラム部１７６に対応した位置に形成されている。流路開閉用貫通孔１７８の形状および数は、前述の機能を発揮できれば特に限定されない。流路開閉用貫通孔１７８の平面視形状は、円形であってもよいし、矩形であってもよい。本実施の形態では、流路開閉用貫通孔１７８の平面視形状は、矩形である。また、流路開閉用貫通孔１７８の数は、単数であってもよいし、複数であってもよい。本実施の形態では、流路開閉用貫通孔１７８の数は、カバー凹部１３５の底面の短軸方向に沿って形成された５つの長孔である。それぞれの長孔は、複数の凸条１３６により覆われているため、表側から見た場合、１つの流路開閉用貫通孔１７８は、多数の貫通孔に分かれているように見える。
【００４８】
吐出部１８１は、吐出口１１１に面するエミッタ１２０の裏面側に配置されている。吐出部１８１は、第１吐出用貫通孔１６５および第２吐出用貫通孔１７５からの灌漑用液体をチューブ１１０の吐出口１１１に送る。吐出部１８１の構成は、前述の機能を発揮することができれば特に限定されない。本実施の形態では、吐出部１８１は、吐出用凹部１８２と、一対の吐出用溝１８３と、一対の侵入防止部１８４とを有する。
【００４９】
吐出用凹部１８２は、エミッタ本体１２１の裏面に開口している。吐出用凹部１８２の平面視形状は、略矩形である。吐出用凹部１８２の対向する側面には、一対の吐出用溝１８３が対向して開口している。
【００５０】
一対の侵入防止部１８４は、吐出口１１１からの異物の侵入を防止する。侵入防止部１８４の位置は、前述の機能を発揮することができれば特に限定されない。本実施の形態では、侵入防止部１８４は、エミッタ１２０をチューブ１１０に接合した場合に、第１吐出用貫通孔１６５および吐出口１１１の間と、第２吐出用貫通孔１７５および吐出口の間とに位置するように配置されている。
【００５１】
（点滴灌漑用チューブおよびエミッタの動作）
次に、点滴灌漑用チューブ１００の動作について説明する。まず、チューブ１１０内に灌漑用液体が送液される。灌漑用液体の例には、水、液体肥料、農薬およびこれらの混合液が含まれる。点滴灌漑用チューブ１００へ送液される灌漑用液体の圧力は、簡易に点滴灌漑法を導入できるように、またチューブ１１０およびエミッタ１２０の破損を防止するため、０．１ＭＰａ以下であることが好ましい。チューブ１１０内の灌漑用液体は、取水部１３１からエミッタ本体１２１内に取り込まれる。具体的には、チューブ１１０内の灌漑用液体は、凸条１３６間の隙間からカバー凹部１３５に入り込み、第１取水用貫通孔１３３を通過して、フィルム１２２をエミッタ本体１２１側に押し込む。第１取水用貫通孔貫通功１３３を通過した灌漑用液体は、フィルム１２２とカバー１２３との間に生じた隙間を通って第２取水用貫通孔１３４を通過する。このとき、取水部１３１は、取水用スクリーン部１３２（凸条１３６間の隙間）を有しているため、灌漑用液体中の浮遊物を除去することができる。
【００５２】
取水部１３１から取り込まれた灌漑用液体は、バイパス流路１５１の上流端部に到達する。バイパス流路１５１に到達した灌漑用液体は、バイパス流路１５１の下流に向かって流れ出すとともに、減圧流路１４１に流れ込む。このとき、灌漑用液体は、減圧流路１４１と比較して圧力損失の少ないバイパス流路１５１を先行して進む。バイパス流路１５１に流れ込んだ灌漑用液体は、流路開閉部１７１に流れ込む。
【００５３】
流路開閉部１７１に流れ込んだ灌漑用液体は、流路開閉部１７１が開いている場合には吐出部１８１に流れ込む。吐出部１８１に流れ込んだ灌漑用液体は、チューブ１１０の吐出口１１１からチューブ１１０外に吐出される。一方、減圧流路１４１に流れ込んだ灌漑用液体は、流量減少部１６１に到達する。流量減少部１６１に流れ込んだ灌漑用液体は、吐出部１８１に流れ込む。吐出部１８１に流れ込んだ灌漑用液体は、チューブ１１０の吐出口１１１からチューブ１１０外に吐出される。
【００５４】
また、灌漑用液体の送液を停止すると、灌漑用液体は、一時的にチューブ１１０の外部から内部に向かって吸い込まれる。このとき、フィルム１２２に対しては、エミッタ本体１２１側からカバー１２３側に向かって圧力がかかる。また、前述したように、第１取水用貫通孔１３３および第２取水用貫通孔１３４は、対向しないように配置されている。よって、フィルム１２２は、カバー１２３に向かって押し付けられ、フィルム１２２は、第１取水用貫通孔１３３を塞ぐ。これにより、灌漑用液体の送液を中止しても、チューブ１１０外の異物がチューブ１１０内に吸い込まれることがない。また、灌漑用液体の圧力が極めて低い場合であっても、液垂れが生じることがない。
【００５５】
前述したように、取水部１３１では、チューブ１１０内の灌漑用液体の圧力に応じてフィルム１２２の第１ダイヤフラム部１３７によって灌漑用液体の出入りが制御され、流量減少部１６１では、チューブ１１０内の灌漑用液体の圧力に応じて第２ダイヤフラム部１６６によって灌漑用液体の流量が制御され、流路開閉部１７１では、チューブ１１０内の灌漑用液体の圧力に応じて第３ダイヤフラム部１７６によって灌漑用液体の流量が制御される。そこで、チューブ１１０内の灌漑用液体の圧力に応じた取水部１３１、流路開閉部１７１および流量減少部１６１の動作について説明する。
【００５６】
図８Ａ〜Ｄは、取水部１３１と、流量減少部１６１と、流路開閉部１７１との動作の関係を示すエミッタ１２０の断面図である。図８Ａは、チューブ１１０に灌漑用液体が送液されていない場合における断面図であり、図８Ｂは、チューブ１１０内の灌漑用液体の圧力が第１圧力である場合における断面図であり、図８Ｃは、チューブ１１０内の灌漑用液体の圧力が第１圧力を超える第２圧力である場合における断面図であり、図８Ｄは、チューブ１１０内の灌漑用液体の圧力が第２圧力を超える第３圧力である場合における断面図である。図９は、チューブ１１０内の灌漑用液体の圧力と、吐出口１１１から滴下される灌漑用液体の流量との関係の一例を示すグラフである。図９の実線は、吐出口１１１から滴下される灌漑用液体の総流量を示しており、図９の破線は、第２流路１５４を流れた（バイパス流路１５１を通った）灌漑用液体の流量を示しており、図９の一点鎖線は、第１流路１５３を流れた（減圧流路１４１を通った）灌漑用液体の流量を示している。図９の横軸は、灌漑用液体の圧力（ＭＰａ）を示しており、縦軸は、吐出口１１１から吐出された灌漑用液体の流量（Ｌ／ｈ）を示している。
【００５７】
チューブ１１０内に灌漑用液体を送液する前では、フィルム１２２に灌漑用液体の圧力が加わらないため、第１ダイヤフラム部１３７、第２ダイヤフラム部１６６および第３ダイヤフラム部１７６は、変形していない（図８Ａ参照）。
【００５８】
チューブ１１０内に灌漑用液体を送液し始めて、チューブ１１０内の灌漑用液体の圧力が第１圧力に到達すると、取水部１３１の第１ダイヤフラム部１３７は、バイパス溝１５２の内部に向かって変形し始める。これにより、チューブ１１０の内部とバイパス流路１５１とが連通し、エミッタ１２０の内部に灌漑用液体が取り込まれる。
【００５９】
チューブ１１０内に灌漑用液体を送液して、チューブ１１０を流れる灌漑用液体の圧力が第１圧力以上、かつ第１圧力を超える第２圧力未満の間では、流量減少部１６１の第２ダイヤフラム部１６６は、第１弁座部１６３に向かって変形する。また、流路開閉部１７１の第３ダイヤフラム部１７６は、第２弁座部１７３に向かって変形する。しかしながら、この状態では、第２ダイヤフラム部１６６が第１弁座部１６３に接触しておらず、かつ第３ダイヤフラム部１７６が第２弁座部１７３に接触していないため、取水部１３１から取り入れられた灌漑用液体は、第１流路１５３（減圧流路１４１、流量減少部１６１および吐出部１８１）および第２流路１５４（バイパス流路１５１、流路開閉部１７１、流量減少部１６１および吐出部１８１）の両方を通って、チューブ１１０の吐出口１１１から外部に吐出される。このように、チューブ１１０内への灌漑用液体の送液開始時や、チューブ１１０内の灌漑用液体の圧力が低圧の場合などでは、取水部１３１から取り入れられた灌漑用液体は、減圧流路１４１およびバイパス流路１５１の両方を通って吐出される。
【００６０】
チューブ１１０内の灌漑用液体の圧力が第２圧力に到達すると、第３ダイヤフラム部１７６が第２弁座部１７３に接触して、第２流路１５４を閉塞する（図８Ｂ参照）。このとき、第２ダイヤフラム部１６６は、第１弁座部１６３に接触していない。このように、チューブ１１０内の灌漑用液体の圧力がフィルム１２２を変形させるほど高くなると、第３ダイヤフラム部１７６が第２弁座部１７３に近接するため、第２流路１５４を通って吐出される灌漑用液体の液量は減少する。そして、チューブ１１０内の灌漑用液体の圧力が第２圧力に到達すると、第２流路１５４内の灌漑用液体は、吐出口１１１から吐出されなくなる。その結果、取水部１３１から取り入れられた灌漑用液体は、第１流路１５３を通って、チューブ１１０の吐出口１１１から外部に吐出される。
【００６１】
チューブ１１０内の灌漑用液体の圧力がさらに高まると、第２ダイヤフラム部１６６は、第１弁座部１６３に向かってさらに変形する。通常は、灌漑用液体の圧力が高くなるにつれて、第１流路１５３を流れる灌漑用液体の量が増大するはずであるが、本実施の形態に係るエミッタ１２０では、減圧流路１４１で灌漑用液体の圧力を減少させるとともに、第２ダイヤフラム部１６６と第１弁座部１６３との間隔を狭めることで、第１流路１５３を流れる灌漑用液体の量の過剰な増大を防止している。そして、チューブ１１０内の灌漑用液体の圧力が第１圧力を超える第２圧力以上である場合に、第２ダイヤフラム部１６６は、第１弁座部１６３に接触する（図８Ｃ参照）。この場合であっても、第２ダイヤフラム部１６６は、流量減少用貫通孔１６８、連通溝１６４および第１吐出用貫通孔１６５を塞がないため、取水部１３１から取り入れられた灌漑用液体は、連通溝１６４を通って、チューブ１１０の吐出口１１１から外部に吐出される。このように、流量減少部１６１は、チューブ１１０内の灌漑用液体の圧力が第２圧力を超える第３圧力である場合、第３ダイヤフラム部１７６が第２弁座部１７３に接触することにより、第１流路１５３を流れる灌漑用液体の液量の増大を抑制する（図９に示される一点鎖線参照）。
【００６２】
このように、流量減少部１６１および流路開閉部１７１は、チューブ１１０内の灌漑用液体の圧力に応じて、それぞれを流れる液量が相互に補完されるように機能するため、本実施の形態に係る点滴灌漑用チューブ１００は、灌漑用液体の圧力が低圧および高圧のいずれの場合であっても、一定量の灌漑用液体をチューブ１１０外に吐出できる（図９に示される実線参照）。
【００６３】
（効果）
以上のように、本実施の形態に係る点滴灌漑用チューブ１００は、主として低圧時に作動する流路開閉部１７１と、主として高圧時に作動する流量減少部１６１を有するため、チューブ１１０内の灌漑用液体の圧力に依存せず、灌漑用液体を定量的に滴下することができる。また、本実施の形態に係る点滴灌漑用チューブ１００は、第１取水用貫通孔１３３がフィルム１２２に塞がれているため、灌漑用液体の送液を停止して、一時的に灌漑用液体が逆流した場合であっても、チューブ１１０外の異物がエミッタ１２０内に吸い込まれることがない。さらに、チューブ１１０内の灌漑用液体の圧力が第１圧力未満の場合、エミッタ１２０内に灌漑用液体が流入することがないため、灌漑用液体のチューブ１１０外への液垂れを防止できる。
【００６４】
なお、本実施の形態では、減圧溝１４２およびバイパス溝１５２は、第１面に開口しており、フィルム１２２によりそれぞれの開口部を塞ぐことで、第１流路１５３および第２流路１５４となるが、それぞれ第２面に開口していてもよい。この場合、減圧溝１４２の開口部およびバイパス溝１５２の開口部は、チューブ１１０の内壁面で塞がれる。また、第１流路１５３および第２流路１５４は、エミッタ本体１２１の内部にそれぞれ形成されていてもよい。
【００６５】
なお、本実施の形態では、第１弁座部１６３および第２弁座部１７３の位置（高さ）を変えることにより、フィルム１２２が変形した場合に接触するタイミングを調整したが、第１弁座部１６３および第２弁座部１７３の位置（高さ）は、同じ深さであってもよい。この場合、第２ダイヤフラム部１６６および第３ダイヤフラム部１７６の厚みや材料（弾性）を変えることにより、フィルム１２２が変形した場合に接触するタイミングを調整してもよい。
【００６６】
また、本実施の形態では、流量減少部１６１および流路開閉部１７１は、独立しているが、流量減少部１６１および流路開閉部１７１は連通していてもよい。
【産業上の利用可能性】
【００６７】
本発明によれば、滴下すべき液体の圧力によって適切な速度での液体の滴下が可能なエミッタを簡易に提供することが可能である。したがって、点滴灌漑や耐久試験などの、長期の滴下を要する技術分野への上記エミッタの普及および当該技術分野のさらなる発展が期待される。
【符号の説明】
【００６８】
１００  点滴灌漑用チューブ
１１０  チューブ
１１１  吐出口
１２０  エミッタ
１２１  エミッタ本体
１２２  フィルム
１２３  カバー
１３１  取水部
１３２  取水用スクリーン部
１３３  第１取水用貫通孔
１３４  第２取水用貫通孔
１３５  カバー凹部
１３６  凸条
１３７  第１ダイヤフラム部
１４１  減圧流路
１４２  減圧溝
１４３  凸部
１５１  バイパス流路
１５２  バイパス溝
１５３  第１流路
１５４  第２流路
１６１  流量減少部
１６２  流量減少用凹部
１６３  第１弁座部
１６４  連通溝
１６５  第１吐出用貫通孔
１６６  第２ダイヤフラム部
１６７  第１スクリーン部
１６８  流量減少用貫通孔
１７１  流路開閉部
１７２  流路開閉用凹部
１７３  第２弁座部
１７５  第２吐出用貫通孔
１７６  第３ダイヤフラム部
１７７  第２スクリーン部
１７８  流路開閉用貫通孔
１８１  吐出部
１８２  吐出用凹部
１８３  吐出用溝
１８４  侵入防止部
【図１】
2018000052.tif 000003
【図２】
2018000052.tif 000004
【図３】
2018000052.tif 000005
【図４】
2018000052.tif 000006
【図５】
2018000052.tif 000007
【図６】
2018000052.tif 000008
【図７】
2018000052.tif 000009
【図８】
2018000052.tif 000010
【図９】
2018000052.tif 000011